(57)【要約】【課題】  被検者Ｓの全身各部の撮影をカセッテ撮影と併用することなく確実に効率的に行えるＸ線撮影装置を提供する。【解決手段】  Ｘ線照射部１からのＸ線を撮影台２上に臥位する被検者Ｓに照射して受像部３で受像するＸ線撮影装置であって、前記Ｘ線照射部１は、撮影台２上に臥位する被検者Ｓの身長方向の縦方向Ｘとこれと直交する横方向Ｙに移動自由に配設されているとともに、その移動位置を検出する位置検出器１２を備えており、また、前記受像部３は、Ｘ線照射部１からのＸ線を受像する受像器３０と、この受像器３０を撮影台２の縦横方向に移動させる第１および第２の移動手段３１，３２を備えており、前記Ｘ線照射部１の位置検出器１２による位置検出結果に基づいて前記受像部３の第１および第２の移動手段３１，３２により、前記受像器３０をＸ線照射部１との対向位置に移動させるコントローラ４を備えている。【選択図】  図１
2005095509.tif 000002
【特許請求の範囲】
【請求項１】
Ｘ線照射部からのＸ線を撮影台上に臥位する被検者に照射して受像部で受像するＸ線撮影装置であって、
前記Ｘ線照射部は、撮影台上に臥位する被検者の身長方向の縦方向とこれと直交する横方向に移動自由に配設されているとともに、その移動位置を検出する位置検出器を備えており、
また、前記受像部は、Ｘ線照射部からのＸ線を受像する受像器と、この受像器を撮影台の縦横方向に移動させる第１および第２の移動手段を備えており、
前記Ｘ線照射部の位置検出器による位置検出結果に基づいて前記受像部の第１および第２の移動手段により、前記受像器をＸ線照射部との対向位置に移動させるコントローラを備えているＸ線撮影装置。
【請求項２】
請求項１において、前記受像部の第１および第２の移動手段が、撮影台の縦横方向の端部まで移動するように設定されているＸ線撮影装置。
【発明の詳細な説明】
【技術分野】
【０００１】
本発明は、被検者の全身各部のＸ線撮影を臥位撮影台上にて行なうＸ線撮影装置に関するものである。
【背景技術】
【０００２】
この種のＸ線撮影装置として、Ｘ線照射部とＸ線受像部およびＸ線撮影時に被検者が臥位する撮影台とを有するものが知られている（特許文献１参照）。
【特許文献１】特開２００２−１７７１２号公報
【発明の開示】
【発明が解決しようとする課題】
【０００３】
しかし、前記従来のＸ線撮影装置では、被検者の身長方向およびこれと直行する左右方向の天板移動ストロークが小さく、頭部、足および右手・左手といった人体中心より離れた部位はＸ線照射内に届かないため、これらの部位はカセッテ撮影を行う必要があって、異なる２種類の撮影システムが必要であった。
【０００４】
そこで、本発明は、被検者の全身撮影を本装置のみで効率良く行うことを目的とする。
【課題を解決するための手段】
【０００５】
上記目的を達成するために、本発明は、Ｘ線照射部からのＸ線を撮影台上に臥位する被検者に照射して受像部で受像するＸ線撮影装置であって、前記Ｘ線照射部は、撮影台上に臥位する被検者の身長方向の縦方向とこれと直交する横方向に移動自由に配設されているとともに、その移動位置を検出する位置検出器を備えており、また、前記受像部は、Ｘ線照射部からのＸ線を受像する受像器と、この受像器を撮影台の縦横方向に移動させる第１および第２の移動手段を備えており、前記Ｘ線照射部の位置検出器による位置検出結果に基づいて前記受像部の第１および第２の移動手段により、前記受像器をＸ線照射部との対向位置に移動させるコントローラを備えている。
【０００６】
撮影台上に臥位した被検者のＸ線撮影を行うときには、その撮影部位に合わせてＸ線照射部を被検者の身長方向とこれと直交方向に移動させる。Ｘ線照射部の撮影位置を位置検出器で検出し、その位置検出結果に基づくコントローラからの出力により前記受像部の第１および第２の移動手段が駆動されて、前記受像器がＸ線照射部との対向位置に自動的に移動される。このようにすることにより、従来のＸ線撮影装置より天板面積が若干大きくなるものの本装置のみで全身各部の撮影が効率良く行え、従来のカセッテ撮影が不要となる。これは撮影の時間短縮につながり、さらには天板がスライドしないので撮影台の設置面積は撮影台面積で済み、従来のものより格段に小さな部屋に設置できる。
【０００７】
本発明の一実施形態では、前記受像部の第１および第２の移動手段が、撮影台の縦横方向の端部まで移動するように設定されている。この構成によれば、被検者を撮影台に載せた状態での撮影のみならず、被検者が座位であっても天板に被検者患部を置くことでＸ線撮影が可能となる。つまり、１台のＸ線撮影装置で被検者の全身各部の撮影をより確実に効率的に行える。
【発明の効果】
【０００８】
以上の本発明のＸ線撮影装置によれば、被検者の全身各部の撮影を効率良く行うことができる。
【発明を実施するための最良の形態】
【０００９】
以下、本発明にかかるＸ線撮影装置を図面に基づいて説明する。
図１は本発明にかかるＸ線撮影装置の一実施形態を示す正面図であり、図２はその縦断側面図である。このＸ線撮影装置は、Ｘ線照射部１からのＸ線を撮影台２上に臥位する被検者Ｓに照射して受像部３で受像する。
【００１０】
前記Ｘ線照射部１は、Ｘ線管とＸ線絞り（コリメータ）１１で構成され、このＸ線絞り１１は、撮影台２上に臥位する被検者Ｓの身長方向の縦方向Ｘとこれと直交する横方向Ｙに移動自由に配設されており、撮影位置を検出する位置検出器１２をＸ線照射部のＸ、Ｙ方向移動範囲の端部に取り付けている。この位置検出器１２としては、例えばポテンショメータ、エンコーダ、光学センサなどが使用される。
【００１１】
前記撮影台２は、被検者Ｓが臥位するカーボンなどの天板２１と臥位台２２とからなり、この天板２１の下部側の内部空間に前記受像部３が配置されている。
【００１２】
前記受像部３は、Ｘ線絞り１１からのＸ線を受像する受像器３０と、この受像器３０を撮影台２のＸ，Ｙ方向に移動させる第１および第２の移動手段３１，３２を備えている。受像器３０としてはＸ線平面検出器（ＦＰＤ）が好適に使用される。第１の移動手段３１は、前記撮影台２のＸ方向に延びる縦レール３１ａと、前記受像器３０の下部に固定されて縦レール３１ａに沿って移動される受枠３１ｂと、縦レール３１ａの内部に配設されたボール軸３１ｃと、前記受像器３０の受枠３１ｂに固定され、前記ボール軸３１ｃに螺挿された移動体３１ｄと、前記縦レール３１ａの端部に配置され、ボール軸３１ｃを回転させる第１のパルスモータ３１ｅとで構成されている。また、前記第２の移動手段３２は、前記受像器３０の下部に撮影台２のＹ方向に沿って配設された横レール３２ａと、前記受像器３０の下部に固定されて横レール３２ａに沿って移動される受枠３２ｂと、横レール３２ａの内部に配設されたボール軸３２ｃと、前記受像器３０に固定され、前記ボール軸３２ｃに螺挿された移動体３２ｄと、前記横レール３２ａの端部に配置され、ボール軸３２ｃを回転させる第２のパルスモータ３２ｅとで構成されている。前記受像器３０と第１，第２移動手段３１，３２は、複数のキャスタ３３ａを備えた支持台３３上にセットされている。
【００１３】
前記第１，第２移動手段３１，３２の縦レール３１ａと横レール３２ａは、それぞれ前記撮影台２のＸ，Ｙ方向の端部近くまで延設されており、前記受像器３０をＸ，Ｙ方向の端部近くまで移動させてＸ線撮影を行うことにより、１台のＸ線撮影装置で被検者Ｓの全身撮影を効率的に行えるようにしている。
【００１４】
また、前記Ｘ線撮影装置にはコントローラ４を備えており、このコントローラ４の入力側に前記Ｘ線照射器１１に設けた位置検出器１２が接続され、出力側には前記第１，第２の移動手段３１，３２の各パルスモータ３１ｅ、３２ｅが接続される。図３に示すように、コントローラ４は、前記位置検出器１２による検出結果を基にしてパルスモータ３１ｅ、３２ｅへの制御量を演算する演算回路と、パルスモータ３１ｅ、３２ｅへ制御量を出力する出力回路で構成される。
【００１５】
次に、以上のＸ線撮影装置により被検者ＳのＸ線撮影を行うときの手順について説明する。まず、Ｘ線撮影時には、撮影台２上に臥位する被検者Ｓの撮影部位に合わせてＸ線照射部１のＸ線絞り１１を、図１，図２の実線および仮想線で示すように撮影台２のＸ，Ｙ方向に移動させる。Ｘ線絞り１１の撮影位置が位置検出器１２で検出され、その位置検出結果に基づくコントローラ４からの出力により前記第１，第２移動手段３１，３２の各パルスモータ３１ｅ，３２ｅがそれぞれ駆動されて、前記受像部３の受像器３１とＸ線照射器１１の中心線が互いに一致するように、受像器３１がＸ線照射器１１との対向位置に自動的に追従して移動される。
【００１６】
このようにしてＸ線撮影を行うことにより、受像部３の受像器３０がＸ線照射部１のＸ線絞り１１による撮影位置に自動的に追従して位置されるので、カセッテ撮影と併用することなく１台のＸ線撮影装置で被検者Ｓの身長方向と横方向の全身各部の撮影を効率良く行える。従って、従来のＸ線撮影装置より天板面積が若干大きくなるものの本装置のみで全身撮影が効率良く行なえ、従来のカセッテ撮影が不要となる。これは撮影時間の短縮につながりさらには天板がスライドしないので撮影台の設置面積は撮影台面積で済み、従来のものより格段に小さな部屋に設置できる。
【図面の簡単な説明】
【００１７】
【図１】本発明の一実施形態にかかるＸ線撮影装置を示す正面図である。
【図２】同Ｘ線撮影装置の縦断側面図である。
【図３】コントローラの構成を示す説明図である。
【符号の説明】
【００１８】
１    Ｘ線照射部
１２  位置検出器
２    撮影台
３    受像部
３０  受像器
３１  第１の移動手段
３２  第２の移動手段
４    コントローラ
Ｓ    被検者
Ｘ    縦方向
Ｙ    横方向
【図１】
2005095509.tif 000003
【図２】
2005095509.tif 000004
【図３】
2005095509.tif 000005